(57)【特許請求の範囲】
【請求項１】
水平同一面に配置された３つのカソード、制御電極、加速電極、集束電極および陽極電極をこの順序で配列し、
上記集束電極の上記陽極電極側の先端部を上記集束電極の内側に向けて折り曲げて上記先端部の第１の面と上記集束電極の内面の間に空間を形成し、
上記先端部の上記第１の面とは反対側の第２の面が、上記折り曲げ部以外の箇所において上記集束電極の内面に平行またはほぼ平行となるように形成されており、
上記先端部は、上記第１の面が、上記先端部の端面に近づくにつれて上記第２の面に近づくように板厚が薄く形成され、これにより、上記先端部の端面に近づくにつれて上記第１の面と上記集束電極の内面の間の距離が大きくなっていく
ことを特徴とするカラー陰極線管用電子銃。
【請求項２】
水平同一面に配置された３つのカソード、制御電極、加速電極、集束電極および陽極電極をこの順序で配列し、
上記集束電極の上記陽極電極側の先端部を上記集束電極の外側に向けて折り曲げて上記先端部の第１の面と上記集束電極の外面の間に空間を形成し、
上記先端部の上記第１の面とは反対側の第２の面が、上記折り曲げ部以外の箇所において上記集束電極の外面に平行またはほぼ平行となるように形成されており、
上記先端部は、上記第１の面が、上記先端部の端面に近づくにつれて上記第２の面に近づくように板厚が薄く形成され、これにより、上記先端部の端面に近づくにつれて上記第１の面と上記集束電極の外面の間の距離が大きくなっていく
ことを特徴とするカラー陰極線管用電子銃。
【請求項３】
上記集束電極の先端部の端面における板厚を上記集束電極の厚さの２／３以下にしたことを特徴とする請求項１または２に記載のカラー陰極線管用電子銃。
【請求項４】
水平同一面に配置された３つのカソード、制御電極、加速電極、集束電極および陽極電極をこの順序で配列し、
上記陽極電極の上記集束電極側の先端部を上記陽極電極の内側に向けて折り曲げて上記先端部の第１の面と上記陽極電極の内面の間に空間を形成し、
上記先端部の上記第１の面とは反対側の第２の面が、上記折り曲げ部以外の箇所において上記陽極電極の内面に平行またはほぼ平行となるように形成されており、
上記先端部は、上記第１の面が、上記先端部の端面に近づくにつれて上記第２の面に近づくように板厚が薄く形成され、これにより、上記先端部の端面に近づくにつれて上記第１の面と上記陽極電極の内面の間の距離が大きくなっていく
ことを特徴とするカラー陰極線管用電子銃。
【請求項５】
水平同一面に配置された３つのカソード、制御電極、加速電極、集束電極および陽極電極をこの順序で配列し、
上記陽極電極の上記集束電極側の先端部を上記陽極電極の外側に向けて折り曲げて上記先端部の第１の面と上記陽極電極の外面の間に空間を形成し、
上記先端部の上記第１の面とは反対側の第２の面が、上記折り曲げ部以外の箇所において上記陽極電極の外面に平行またはほぼ平行となるように形成されており、
上記先端部は、上記第１の面が、上記先端部の端面に近づくにつれて上記第２の面に近づくように板厚が薄く形成され、これにより、上記先端部の端面に近づくにつれて上記第１の面と上記陽極電極の外面の間の距離が大きくなっていく
ことを特徴とするカラー陰極線管用電子銃。
【請求項６】
上記陽極電極の先端部の端面における板厚を上記陽極電極の厚さの２／３以下にしたことを特徴とする請求項４または５に記載のカラー陰極線管用電子銃。
【発明の詳細な説明】
【０００１】
【発明の属する技術分野】
この発明は、カラー陰極線管用電子銃に関するものであり、特に電子レンズを形成させるための電極の構造に関するものである。
【０００２】
【従来の技術】
図５は従来のカラー陰極線管用電子銃を示す図であり、詳しくは従来のカラー陰極線管用電子銃の断面図である。
図５において、１ａ、１ｂ、１ｃは、水平同一面に配置された、カラー表示の３原色赤、緑、青に対応する電子ビームを放出するカソードである。
１０ａはカソード１ａから放出する赤色用電子ビームである。
１０ｂはカソード１ｂから放出する緑色用電子ビームである。
１０ｃはカソード１ｃから放出する青色用電子ビームである。
【０００３】
２は、赤色用電子ビーム１０ａを通過させるための孔２ａ、緑色用電子ビーム１０ｂを通過させるための孔２ｂおよび青色用電子ビーム１０ｃを通過させるための孔２ｃを有する制御電極である。
３は、赤色用電子ビーム１０ａを通過させるための孔３ａ、緑色用電子ビーム１０ｂを通過させるための孔３ｂおよび青色用電子ビーム１０ｃを通過させるための孔３ｃを有する加速電極である。
４は、赤色用電子ビーム１０ａを通過させるための孔４ａ、緑色用電子ビーム１０ｂを通過させるための孔４ｂおよび青色用電子ビーム１０ｃを通過させるための孔４ｃを有する第１の集束電極である。
【０００４】
５は第２の集束電極であり、第２の集束電極５は長円形形状の孔５ａを有する。
第２の集束電極５の先端部５ｂは第２の集束電極５の内面に向けて折り曲げられ、第２の集束電極５の内面に接触している。
６は第２の集束電極５の内部に位置し、３つの非円形の孔６ａ、６ｂ、６ｃを有する第１の電界補正部材であり、第１の電界補正部材６は例えば板状の部材であって、その外周を浅く絞った形状を有する。
また、第１の集束電極４、第２の集束電極５、第１の電界補正部材６は、同一電圧が与えられ１つの集束電極を構成している。
７は陽極電極であり、陽極電極７は長円形形状の孔７ａを有する。
陽極電極７の先端部７ｂは陽極電極７の内面に向けて折り曲げられ、陽極電極７の内面に接触している。
８は陽極電極７の内部に位置し、３つの非円形の孔８ａ、８ｂ、８ｃを有する第２の電界補正部材であり、第２の電界補正部材８は例えば板状の部材であってその外周を浅く絞った形状を有する。
９は陽極電極７に取り付けられたシールドカップである。
シールドカップ９は赤色用電子ビーム１０ａを通過させるための孔９ａ、緑色用電子ビーム１０ｂを通過させるための孔９ｂおよび青色用電子ビーム１０ｃを通過させるための孔９ｃを有する
【０００５】
次に動作について説明する。
カソード１ａ、１ｂおよび１ｃにより発生した、赤色用電子ビーム１０ａ、緑色用電子ビーム１０ｂおよび青色用電子ビーム１０ｃは、蛍光面（図示せず）に向かって放出される。
蛍光面（図示せず）には、２０〜３０〔ｋＶ〕と高い電圧が印加されている。
制御電極２では、赤色用電子ビーム１０ａ、緑色用電子ビーム１０ｂおよび青色用電子ビーム１０ｃの量が制御され、加速電極３で加速された後、加速電極３と第１の集束電極４の間に発生するプリフォーカスレンズ（図示せず）により予備集束されたのち、第２の集束電極５と陽極電極７との間に形成される主電子レンズ（図示せず）により集束され、蛍光面（図示せず）上に形成された赤、緑、青のそれぞれの蛍光体（図示せず）上で集束し、それぞれ対応する色が発光する。
【０００６】
このとき、各電極には、およそ、次の様な電圧が印加される。カソード１ａ、１ｂおよび１ｃは１００〜２００〔Ｖ〕の直流電圧および電子ビーム量を制御するドライブ電圧として０〜２００〔Ｖ〕が印加される。
制御電極２には、−１００〜０〔Ｖ〕、加速電極３には４００〜１０００〔Ｖ〕が印加される。
第１の集束電極４および第２の集束電極５には、陽極電極７に加えられる電圧の２０〜３０〔％〕の電圧が印加される。
陽極電極７には、蛍光面（図示せず）に加えられる電圧２０〜３０〔ｋＶ〕と同じ程度の電圧が印加される。
【０００７】
また、主電子レンズ（図示せず）の口径が大きいほど、球面収差が小さくなり、赤色用電子ビーム１０ａ、緑色用電子ビーム１０ｂおよび青色用電子ビーム１０ｃの蛍光面（図示せず）上の集束径（またはスポット径）が小さくなるため、良好な解像度が得られる。
このため、主電子レンズ（図示せず）を構成するために必要な第２の集束電極５、第１の電界補正部材６、第２の電界補正部材８および陽極電極７は次のような構成を有している。
【０００８】
図６は第２の集束電極５および第１の電界補正部材６の断面図である。
図６において、５ｃは第２の集束電極５の内面である。
先端部５ｂは第２の集束電極５の内面５ｃに向けて折り曲げられるとともに第２の集束電極５の内面５ｃに接触している。
第１の電界補正部材６はその外周を絞り、絞った部分は第２の集束電極５に溶接などにより固着している。
【０００９】
図７は従来のカラー陰極線管用電子銃における陽極電極７および第２の電界補正部材８の断面図である。
図７において、７ｃは陽極電極７の内面である。
先端部７ｂは陽極電極７の内面７ｃに向けて折り曲げられるとともに陽極電極７の内面７ｃに接触している。
第２の電界補正部材８はその外周を絞り、絞った部分は陽極電極７に溶接などにより固着している。
【００１０】
図８は従来のカラー陰極線管用電子銃における第２の集束電極５の加工方法を示す図である。
図８（ａ）は先端部５ｂを第２の集束電極５の内面に向けて折り曲げる加工を行う前の第２の集束電極５を示す図、図８（ｂ）は先端部５ｂを第２の集束電極５の内面に向けて折り曲げる加工を行った後の第２の集束電極５を示す図である。
図８において、５ｄは先端部５ｂの内面であり、内面５ｄは平坦な面であり、かつ先端部の厚さは一定の厚さを有する。
従来の加工では、先端部５ｂを第２の集束電極５の内面に向けて折り曲げる加工を行うことにより図８（ｂ）に示すように先端部５ｂの内面５ｄと第２の集束電極５の内面５ｃとが接触する。
【００１１】
従来では、第２の集束電極５を成形する方法として、第２の集束電極５の材料となる板状の部材に対し、絞り加工を行った後、開口部５ｊを形成し、次いでプレス加工などの方法を用いて先端部５ｂを第２の集束電極５の内面に向けて折り曲げ、図８（ｂ）に示すように先端部５ｂの内面５ｄと第２の集束電極５の内面５ｃとを接触させる。
【００１２】
このような方法によれば、先端部５ｂを第２の集束電極５の内面５ｃに向けて折り曲げる加工を行うとき、先端部５ｂの内面５ｄと第２の集束電極５の内面５ｃとの間にプレス時の油（図示せず）が溜まり、それが陰極線管内で不純物となりカソード１ａ、１ｂおよび１ｃを汚染する恐れがある。
【００１３】
図９は従来のカラー陰極線管用電子銃において、第２の集束電極の他の一例を示す図である。
図９（ａ）は先端部５ｂを第２の集束電極５の内面５ｃに向けて折り曲げる加工を行う前の第２の集束電極５を示す図、図９（ｂ）は先端部５ｂを第２の集束電極５の内面５ｃに向けて折り曲げる加工を行った後の第２の集束電極５を示す図、図９（ｃ）は図９（ａ）のＡ−Ａ断面図および図９（ｄ）は図９（ｂ）のＢ−Ｂ断面図である。
図９において、５ｉは先端部５ｂの内面を波形の形状にしたことによりできた溝である。
また溝５ｉは先端部５ｂの端面に向かう方向に形成される。
【００１４】
図９のカラー陰極線管用電子銃は先端部５ｂの内面に溝５ｉを形成したので、先端部５ｂを折り曲げる加工を行ったとき、第２の集束電極５の内面５ｃと先端部５ｂの内面との間に互いに非接触の空間ができる。
よって、先端部５ｂを第２の集束電極５の内面５ｃに向けて折り曲げる加工を行った後、洗浄、水素処理等を実施することにより、第２の集束電極５の内面５ｃと先端部５ｂとの間に溜まる油は溝５ｉを通り先端部５ｂの端面から抜くことができる。
【００１５】
図１０は従来のカラー陰極線管用電子銃における第２の集束電極５の先端部５ｂの他の一例を示す図である。
図１０（ａ）は図９（ａ）のＡ−Ａ断面図および図１０（ｂ）は図９（ｂ）のＢ−Ｂ断面図である。
図１０において、先端部５ｂの内面に形成される溝５ｉを互いに交差するようなモザイク状に形成しても上述のような効果を得られる。
また、図８、図９および図１０では第２の集束電極５の具体的な構成について言及したが、陽極電極７を上述のような構成にすれば同じ効果を得ることが可能となる。
【００１６】
【発明が解決しようとする課題】
図９、図１０の電極を備えたカラー陰極線管用電子銃は、上述のような構成を有しているため、先端部５ｂを折り曲げる加工を行ったときに先端部５ｂと第２の集束電極５の内面５ｃとの間に溜まる油は溝５ｉを通り先端部５ｂの端面から抜くことが可能となる。
しかしながら、先端部５ｂと第２の集束電極５の内面５ｃとが接触する部分付近に油が溜まりやすく、十分に油を抜くことができなかった。
【００１７】
この発明は上述のような問題を解決するためになされたものであり、第２の集束電極と第２の集束電極の先端部との間および陽極電極と陽極電極の先端部との間に油が溜まりにくく、効率よく油を抜くことができるカラー陰極線管用電子銃を得ることを目的とする。
【００１８】
【課題を解決するための手段】
この発明に係るカラー陰極線管用電子銃は、
水平同一面に配置された３つのカソード、制御電極、加速電極、集束電極および陽極電極をこの順序で配列し、
上記集束電極の上記陽極電極側の先端部を上記集束電極の内側に向けて折り曲げて上記先端部の第１の面と上記集束電極の内面の間に空間を形成し、
上記先端部の上記第１の面とは反対側の第２の面が、上記折り曲げ部以外の箇所において上記集束電極の内面に平行またはほぼ平行となるように形成されており、
上記先端部は、上記第１の面が、上記先端部の端面に近づくにつれて上記第２の面に近づくように板厚が薄く形成され、これにより、上記先端部の端面に近づくにつれて上記第１の面と上記集束電極の内面の間の距離が大きくなっていく
ことを特徴とするものである。
また、この発明に係るカラー陰極線管用電子銃は、
水平同一面に配置された３つのカソード、制御電極、加速電極、集束電極および陽極電極をこの順序で配列し、
上記集束電極の上記陽極電極側の先端部を上記集束電極の外側に向けて折り曲げて上記先端部の第１の面と上記集束電極の外面の間に空間を形成し、
上記先端部の上記第１の面とは反対側の第２の面が、上記折り曲げ部以外の箇所において上記集束電極の外面に平行またはほぼ平行となるように形成されており、
上記先端部は、上記第１の面が、上記先端部の端面に近づくにつれて上記第２の面に近づくように板厚が薄く形成され、これにより、上記先端部の端面に近づくにつれて上記第１の面と上記集束電極の外面の間の距離が大きくなっていく
ことを特徴とする。
【００１９】
この発明に係るカラー陰極線管用電子銃は、
水平同一面に配置された３つのカソード、制御電極、加速電極、集束電極および陽極電極をこの順序で配列し、
上記陽極電極の上記集束電極側の先端部を上記陽極電極の内側に向けて折り曲げて上記先端部の第１の面と上記陽極電極の内面の間に空間を形成し、
上記先端部の上記第１の面とは反対側の第２の面が、上記折り曲げ部以外の箇所において上記陽極電極の内面に平行またはほぼ平行となるように形成されており、
上記先端部は、上記第１の面が、上記先端部の端面に近づくにつれて上記第２の面に近づくように板厚が薄く形成され、これにより、上記先端部の端面に近づくにつれて上記第１の面と上記陽極電極の内面の間の距離が大きくなっていく
ことを特徴とする。
この発明に係るカラー陰極線管用電子銃は、
水平同一面に配置された３つのカソード、制御電極、加速電極、集束電極および陽極電極をこの順序で配列し、
上記陽極電極の上記集束電極側の先端部を上記陽極電極の外側に向けて折り曲げて上記先端部の第１の面と上記陽極電極の外面の間に空間を形成し、
上記先端部の上記第１の面とは反対側の第２の面が、上記折り曲げ部以外の箇所において上記陽極電極の外面に平行またはほぼ平行となるように形成されており、
上記先端部は、上記第１の面が、上記先端部の端面に近づくにつれて上記第２の面に近づくように板厚が薄く形成され、これにより、上記先端部の端面に近づくにつれて上記第１の面と上記陽極電極の外面の間の距離が大きくなっていく
ことを特徴とする。
【００２０】
上記集束電極の先端部の端面における板厚を上記集束電極の厚さの２／３以下にしても良い。同様に、上記陽極電極の先端部の端面における板厚を上記陽極電極の厚さの２／３以下にしても良い。
【００２１】
【発明の実施の形態】
実施の形態１．
図１は実施の形態１のカラー陰極線管用電子銃の断面図である。
図１において、従来のものと同一の符号を付したものは従来のものと同一またはこれに相当するものである。
図１において、５０は第２の集束電極であり、第２の集束電極５０は長円形形状の孔５０ａを有する。
５０ｂは第２の集束電極５０の先端部である。
先端部５０ｂは、その外面が第２の集束電極５０の内面と平行またはほぼ平行となるように第２の集束電極５０の内面に向けて折り曲げられている。
第１の集束電極４、第２の集束電極５０、第１の電界補正部材６は、同一電圧が与えられ１つの集束電極を構成している。
７０は陽極電極であり、陽極電極７０は長円形形状の孔７０ａを有する。
７０ｂは陽極電極７０の先端部である。
先端部７０ｂは、その外面が陽極電極７０の内面と平行またはほぼ平行となるように陽極電極７０の内面に向けて折り曲げられている。
【００２２】
図２は実施の形態１のカラー陰極線管用電子銃の要部を示す図であり、詳しくは第２の集束電極５０および陽極電極７０の断面図である。
図２において、図１と同一の符号を付したものは図１のものと同一、またはこれに相当するものである。
図２において、５０ｃは第２の集束電極５０の内面、５０ｄは第２の集束電極５０の先端部５０ｂの内面、５０ｅは第２の集束電極５０の先端部５０ｂの外面、５０ｆは第２の集束電極５０の先端部５０ｂの端面である。
７０ｃは陽極電極７０の内面、７０ｄは陽極電極７０の先端部７０ｂの内面、７０ｅは陽極電極７０の先端部７０ｂの外面、７０ｆは陽極電極７０の先端部７０ｂの端面である。
ｔ１は第２の集束電極５０の厚さ、ｔ２は陽極電極７０の厚さを表す。
【００２３】
先端部５０ｂの内面５０ｄは端面５０ｆに向かうにつれて先端部５０ｂの外面５０ｅに近づくようにその厚さを薄くしている。
先端部５０ｂの成形は、例えばその内面を削る等の加工を行うことにより実現できる。
先端部５０ｂの外面５０ｅが第２の集束電極５０の内面５０ｃに平行またはほぼ平行となるまで第２の集束電極５０の内面５０ｃに向けて先端部５０ｂを折り曲げたとき、第２の集束電極５０の内面５０ｃと第２の集束電極５０の先端部５０ｂの内面５０ｄとの間に互いに非接触の空間が第２の集束電極５０の内面５０ｃの全周にわたり形成される。
第２の集束電極５０の内面５０ｃと先端部５０ｂの内面５０ｄとの間にできる空間は先端部５０ｂの端面５０ｆに向かうにつれて第２の集束電極５０の内面５０ｃと先端部５０ｂの内面５０ｄとの間の距離が大きくなっていくような空間である。
【００２４】
先端部７０ｂの内面７０ｄは端面７０ｆに向かうにつれて先端部７０ｂの外面７０ｅに近づくようにその厚さを薄くしている。
先端部７０ｂの成形は、例えばその内面をたたく（押しつぶす）等の加工を行うことにより実現できる。
先端部７０ｂの外面７０ｅが陽極電極７０の内面７０ｃに平行またはほぼ平行となるまで陽極電極７０の内面７０ｃに向けて先端部７０ｂを折り曲げたとき、陽極電極７０の内面７０ｃと先端部７０ｂの内面７０ｄとの間に互いに非接触の空間が第２の集束電極７０の内面７０ｃの全周にわたり形成される。
陽極電極７０の内面７０ｃと先端部７０ｂの内面７０ｄとの間にできる空間は先端部７０ｂの端面７０ｆに向かうにつれて陽極電極７０の内面７０ｃと先端部７０ｂの内面７０ｄとの間の距離が大きくなっていくような空間である。
【００２５】
図３は実施の形態１のカラー陰極線管用電子銃の要部を示す図であり、詳しくは先端部５０ｂを第２の集束電極５０の内面５０ｃに向けて折り曲げる前の第２の集束電極５０の断面図である。
図３において、先端部５０ｂの端面５０ｆの厚さは、第２の集束電極５０の厚さｔ１の２／３にしている。
先端部５０ｂの内面５０ｄと先端部５０ｂの外面５０ｅとの間の距離は、先端部５０ｂの端面５０ｆに向かうにつれて、直線的に小さくなるように先端部５０ｂを成形している。
【００２６】
図３において、先端部５０ｂの外面５０ｅが第２の集束電極５０の内面５０ｃに平行またはほぼ平行となるように先端部５０ｂを折り曲げたとき、第２の集束電極５０の内面５０ｃと先端部５０ｂの内面５０ｄとの間に空間ができる（図２参照）。
【００２７】
このとき、先端部５０ｂの端面５０ｆ付近では第２の集束電極５０の内面５０ｃと先端部５０ｂの内面５０ｄとの間の距離は第２の集束電極５０の厚さｔ１の１／３程度になり、第２の集束電極５０の内面５０ｃと先端部５０ｂの内面５０ｄとの間に溜まる油を効率よく抜くことができる。
図３では第２の集束電極５０について言及したが、陽極電極７０を上述のような構成にすれば同じ効果を得ることができる。
【００２８】
実施の形態１のカラー陰極線管用電子銃は上述のような構成をしているため、第２の電極５０の内面５０ｃと先端部５０ｂの内面５０ｄとの間に互いに非接触となる空間が先端部５０ｂの内面５０ｄの全周にわたって形成されるため、先端部５０ｂを第２の集束電極５０の内面５０ｃに向けて折り曲げる加工を行ったとき、第２の集束電極５０の内面５０ｃと先端部５０ｂの内面５０ｄとの間に溜まる油を洗浄、水素処理等を実施することで効率的に抜くことができる。
さらに、陽極電極７０の内面７０ｃと先端部７０ｂの内面７０ｄとの間に互いに非接触となる空間が先端部７０ｂの内面７０ｄの全周にわたって形成されるため、先端部７０ｂを陽極電極７０の内面７０ｃに向けて折り曲げる加工を行ったとき、陽極電極７０の内面７０ｃと先端部７０ｂの内面７０ｄとの間に溜まる油を洗浄、水素処理等を実施することで効率的に抜くことができる。
【００２９】
さらに、先端部５０ｂおよび先端部７０ｂはその内面をたたく（押しつぶす）等の簡単な工程で成形できるため、先端部５０ｂおよび先端部７０ｂに複数の溝を形成するといった複雑な工程が不要となり、装置の生産性が向上する。
さらに先端部５０ｂの端面の厚さを、第２の集束電極５０ｆの厚さｔ１の２／３とし、先端部７０ｂの端面７０ｆの厚さを陽極電極７０の厚さｔ２の２／３とすることにより、より効率的に油を抜くことができる。
【００３０】
実施の形態１のカラー陰極線管用電子銃では第２の集束電極５０の先端部５０ｂの端面５０ｆの厚さを第２の集束電極５０の厚さｔ１の２／３としたが、これに限定される必要はなく、先端部５０ｂの端面５０ｆの厚さを第２の集束電極５０の厚さｔ１の２／３以下とすれば先端部５０ｂと第２の集束電極５０の内面５０ｃとの間にできる空間をより広くすることができるため、さらに効率的に油を抜くことができる。
【００３１】
また、実施の形態１のカラー陰極線管用電子銃では陽極電極７０の先端部７０ｂの端面７０ｆの厚さを陽極電極７０の厚さｔ２の２／３としたが、これに限定される必要はなく、先端部７０ｂの端面７０ｆの厚さを陽極電極７０の厚さｔ２の２／３以下とすれば先端部７０ｂと陽極電極７０の内面７０ｃとの間にできる空間をより広くすることができるため、さらに効率的に油を抜くことができる。
【００３２】
実施の形態２．
実施の形態２のカラー陰極線管用電子銃は、第２の集束電極の先端部を第２の集束電極の外面に向けて折り曲げたことを特徴とするものである。
図４は実施の形態２のカラー陰極線管用電子銃の要部を示す図である。
図４（ａ）は第２の集束電極の断面図、図４（ｂ）は第２の集束電極を図４（ａ）の矢印Ａの方向から見たときの図である。
図４において、５１は第２の集束電極であり、第２の集束電極５１は長円形形状の孔５１ａを有する。
５１ｂは第２の集束電極５１の先端部、５１ｄは先端部５１ｂの内面、５１ｅは先端部５１ｂの外面、５１ｇは第２の集束電極５１の外面である。
ＬＩは第２の集束電極５１の内輪の上端と下端との間の最大距離、ＨＩは第２の集束電極５１の内輪の左端と右端との間の最大距離、Ｌ０は第２の集束電極５１の外輪の上端と下端との間の最大距離、Ｈ０は第２の集束電極５１の外輪の左端と右端との間の最大距離である。
【００３３】
先端部５１ｂの端面５１ｆに向かうにつれて先端部５１ｂの内面５１ｄが先端部５１ｂの外面５１ｅに近づくようにしているため、先端部５１ｂの厚さは端面５０ｆに向かうにつれて薄くなる。
先端部５１ｂの成形は、例えば内面５１ｄ（または折り曲げた後に内面５１ｄとなる外面部）をたたく（押しつぶす）等の加工を行うことにより実現できる。先端部５１ｂの外面５１ｅが第２の集束電極５１の外面５１ｇに平行またはほぼ平行となるまで第２の集束電極５０の外面５１ｇに向けて先端部５１ｂを折り曲げたとき、第２の集束電極５１の外面５１ｇと先端部５１ｂの内面５１ｄとの間に互いに非接触となる空間が先端部５１ｂの内面５１ｄの全周にわたって形成される。
第２の集束電極５１の外面５１ｇと先端部５１ｂの内面５１ｄとの間にできる空間は先端部５１ｂの端面５１ｆに向かうにつれて第２の集束電極５１の外面５１ｇと先端部５１ｂの内面５１ｄとの間の距離が大きくなっていくような空間である。
【００３４】
実施の形態２のカラー陰極線管用電子銃は上述のような構成を有しているため、先端部５１ｂを第２の集束電極５１の外面５１ｇに向けて折り曲げる加工を行ったとき、第２の集束電極５１の外面５１ｇと先端部５１ｂの内面５１ｄとの間に溜まる油を洗浄、水素処理等を実施することで効率的に抜くことができる。
また第２の集束電極５１の外面５１ｇに向けて先端部５１ｂを折り曲げているので、第２の集束電極５１の内側に油が溜まることはなくなる。
さらに、先端部５１ｂを第２の集束電極５１の外面５１ｇに向けて折り曲げているので、先端部５１ｂを第２の集束電極５１の内面に向けて折り曲げる場合に比べ、図４（ｂ）に示すＬＩおよびＨＩの大きさを大きくすることができるので、形成される電子レンズの口径をさらに大きくすることができるため、形成される主電子レンズ（図示せず）の球面収差を小さくすることができ、良好な解像度を得ることができる。
さらに、先端部５１ｂは内面５１ｄをたたく（押しつぶす）等の簡単な加工で成形できるため、先端部５１ｂに溝を形成するといった複雑な工程が不要となり、装置の生産性が向上する。
【００３５】
また、実施の形態２のカラー陰極線管用電子銃において、第２の集束電極５１の先端部５１ｂの端面５０ｆの厚さを第２の集束電極５１の厚さの２／３と以下とすることにより、先端部５１ｂの内面５１ｄと第２の集束電極５１の外面５１ｇとの間にできる空間をより広くすることができるため、さらに効率的に油を抜くことができる。
【００３６】
なお、実施の形態２では、第２の集束電極５１の構成について述べたが、陽極電極を上述のような構成にすることにより同様の効果を得ることができる。
【００３７】
【発明の効果】
この発明に係るカラー陰極線管用電子銃によれば、集束電極の先端部の端面に向かうにつれて集束電極の先端部の内面（収束電極の内面との間に空間を形成する面）が集束電極の先端部の外面（内面とは反対側の面）に近づくように集束電極の先端部の厚さを薄くするとともに、集束電極の先端部の外面が集束電極の内面に平行またはほぼ平行となるように形成されているので、集束電極の内面と集束電極の先端部の内面との間に互いに非接触となる空間が集束電極の先端部の内面全周にわたって形成されるため、集束電極の先端部を折り曲げる加工を行ったときに集束電極の内面と集束電極の先端部の内面との間に溜まる油を効率的に抜くことができる。
また、陽極電極の先端部の端面に向かうにつれて陽極電極の先端部の内面（陽極電極の内面との間に空間を形成する面）が陽極電極の先端部の外面（内面とは反対側の面）に近づくように陽極電極の先端部の厚さを薄くするとともに、陽極電極の先端部の外面が陽極電極の内面に平行またはほぼ平行となるように形成されているので、陽極電極の内面と陽極電極の先端部の内面との間に互いに非接触となる空間が陽極電極の先端部の内面全周にわたって形成されるため、陽極電極の先端部を折り曲げる加工を行ったときに陽極電極の内面と陽極電極の先端部の内面との間に溜まる油を効率的に抜くことができる。
【００３８】
この発明に係るカラー陰極線管用電子銃によれば、集束電極の先端部の端面に向かうにつれて集束電極の先端部の内面（収束電極の外面との間に空間を形成する面）が集束電極の先端部の外面（内面とは反対側の面）に近づくように集束電極の先端部の厚さを薄くするとともに、集束電極の先端部の外面が集束電極の外面に平行またはほぼ平行となるように形成されているので、集束電極の外面と集束電極の先端部の内面との間に互いに非接触となる空間が集束電極の先端部の内面全周にわたって形成されるため、集束電極の先端部を折り曲げる加工を行ったときに集束電極の外面と集束電極の先端部の内面との間に溜まる油を効率的に抜くことができる。
さらに、陽極電極の先端部の端面に向かうにつれて陽極電極の先端部の内面（陽極電極の外面との間に空間を形成する面）が陽極電極の先端部の外面（内面とは反対側の面）に近づくように陽極電極の先端部の厚さを薄くするとともに、陽極電極の先端部の外面が陽極電極の外面に平行またはほぼ平行となるように形成されているので、陽極電極の外面と陽極電極の先端部の内面との間に互いに非接触となる空間が陽極電極の先端部の内面全周にわたって形成されるため、陽極電極の先端部を折り曲げる加工を行ったときに陽極電極の外面と陽極電極の先端部の内面との間に溜まる油を効率的に抜くことができる。
【００３９】
この発明に係るカラー陰極線管用電子銃によれば、集束電極の先端部の端面における板厚を集束電極の厚さの２／３以下にしたので、集束電極と集束電極の先端部との間に形成される空間がより広くなるので、集束電極の先端部を折り曲げる加工を行ったとき、集束電極と集束電極の先端部との間に溜まる油を洗浄、水素処理を実施することにより効率的に抜くことができる。
さらに陽極電極の先端部の端面における板厚を陽極電極の厚さの２／３以下にしたので、陽極電極と陽極電極の先端部との間に形成される空間がより広くなるので陽極電極の先端部を折り曲げる加工を行ったとき、陽極電極と陽極電極の先端部との間に溜まる油を洗浄、水素処理を実施することにより効率的に抜くことができる。
【図面の簡単な説明】
【図１】実施の形態１のカラー陰極線管用電子銃の断面図である。
【図２】実施の形態１のカラー陰極線管用電子銃における第２の集束電極および陽極電極の断面図である。
【図３】実施の形態１のカラー陰極線管用電子銃における第２の集束電極の断面図である。
【図４】実施の形態２のカラー陰極線管用電子銃における第２の集束電極の断面図である。
【図５】従来のカラー陰極線管用電子銃の断面図である。
【図６】従来ののカラー陰極線管用電子銃における第２の集束電極および第１の電界補正部材の断面図である。
【図７】従来ののカラー陰極線管用電子銃における陽極電極および第２の電界補正部材の断面図である。
【図８】従来のカラー陰極線管用電子銃における第２の集束電極の加工方法を示す図である
【図９】従来のカラー陰極線管用電子銃における第２の集束電極の他の一例を示す図である
【図１０】従来のカラー陰極線管用電子銃における第２の集束電極の先端部を示す図である
【符号の説明】
１ａ：カソード              １ｂ：カソード
１ｃ：カソード
２：制御電極          ２ａ、２ｂ、２ｃ：孔
３：加速電極          ３ａ、３ｂ、３ｃ：孔
４：第１の集束電極    ４ａ、４ｂ、４ｃ：孔
６：第１の電界補正部材    ６ａ、６ｂ、６ｃ：孔
５：第２の集束電極    ５ａ：孔          ５ｂ：先端部
５ｃ：内面              ５ｉ：溝          ５ｊ：開口部
７：陽極電極          ７ａ：孔          ７ｂ：先端部
８：第２の電界補正部材    ８ａ、８ｂ、８ｃ：孔
９：シールドカップ        ９ａ、９ｂ、９ｃ：孔
１０ａ：赤色用電子ビーム  １０ｂ：緑色用電子ビーム
１０ｃ：青色用電子ビーム
５０：第２の集束電極    ５０ａ：孔
５０ｂ：先端部            ５０ｃ：内面
５０ｄ：内面              ５０ｅ：外面
５０ｆ：端面
５１：第２の集束電極    ５１ａ：孔
５１ｂ：先端部            ５１ｄ：内面
５１ｅ：外面              ５１ｆ：端面
７０：陽極電極            ７０ａ：孔
７０ｂ：先端部            ７０ｃ：内面
７０ｄ：内面              ７０ｅ：外面
７０ｆ：端面
【図１】
0003562933.tif 000002
【図２】
0003562933.tif 000003
【図３】
0003562933.tif 000004
【図４】
0003562933.tif 000005
【図５】
0003562933.tif 000006
【図６】
0003562933.tif 000007
【図７】
0003562933.tif 000008
【図８】
0003562933.tif 000009
【図９】
0003562933.tif 000010
【図１０】
0003562933.tif 000011